(57)【要約】  本発明は、オイルベースのコアおよびポリマーシェルを有し、前記オイルベースのコアが影響力の大きい香料原料を有する香料オイルと密度均衡化材料とを含む、マイクロカプセルに関する。前記マイクロカプセルを含む芳香組成物および消費者製品、特に、ホームケアまたはパーソナルケア製品の形態の等方性または構造化された消費者製品も、本発明の一部である。【特許請求の範囲】
【請求項１】
オイルベースのコアとポリマーシェルとを有する少なくとも１つのマイクロカプセルを含むマイクロカプセルスラリーであって、前記オイルベースのコアが、
・  Ｌｏｇ  Ｔ＜−４を有する影響力の大きい香料原料を少なくとも１５質量％含む香料オイル、２５〜９８質量％、および
・  １．０７ｇ／ｃｍ3を上回る密度を有する密度均衡化材料、２〜７５質量％
を含むことを特徴とする、前記マイクロカプセルスラリー。
【請求項２】
前記香料オイルが、少なくとも３０質量％、好ましくは少なくとも５０質量％の、Ｌｏｇ  Ｔ＜−４を有する影響力の大きい香料原料を含む、請求項１に記載のマイクロカプセルスラリー。
【請求項３】
前記ポリマーシェルが、ポリウレア、ポリウレタン、ポリアミド、ポリアクリレート、ポリシロキサン、ポリカーボネート、ポリスルホンアミド、ウレアホルムアルデヒド、メラミンホルムアルデヒド樹脂、メラミンウレア樹脂、メラミングリオキサール樹脂、ゼラチン／アラビアゴムシェル壁、およびそれらの混合物からなる群から選択される材料製である、請求項１または２に記載のマイクロカプセルスラリー。
【請求項４】
前記Ｌｏｇ  Ｔ＜−４を有する影響力の大きい香料原料が、表１に記載されるリストから選択される、請求項１から３までのいずれか１項に記載のマイクロカプセルスラリー。
【請求項５】
前記香料オイルが、４−メチル−２−ペンチルピリジンを影響力の大きい香料原料として含む、請求項４に記載のマイクロカプセルスラリー。
【請求項６】
前記密度均衡化材料が、ベンジルサリチレート、ベンジルベンゾエート、シクロヘキシルサリチレート、ベンジルフェニルアセテート、フェニルエチルフェノキシアセテート、トリアセチン、メチルおよびエチルサリチレート、ベンジルシンナメートおよびそれらの混合物からなる群の中で選択される、請求項１から５までのいずれか１項に記載のマイクロカプセルスラリー。
【請求項７】
前記オイルベースのコアが、２５質量％〜８５質量％の香料オイルと、１５質量％〜７５質量％の密度均衡化材料とを含む、請求項１から６までのいずれか１項に記載のマイクロカプセルスラリー。
【請求項８】
請求項１から７までのいずれか１項に定義されたスラリーを乾燥させることによって得られるマイクロカプセル粉末。
【請求項９】
以下：
（ｉ）  請求項１から７までのいずれか１項に定義された香料マイクロカプセルスラリーまたは請求項８に定義されたマイクロカプセル粉末、
（ｉｉ）  香料担体および香料相互成分からなる群から選択される少なくとも１つの成分、および
（ｉｉｉ）  任意に香料補助剤
を含む芳香組成物。
【請求項１０】
液体形態、好ましくはホームケア製品、ヘアケア製品またはボディケア製品の形態であり、請求項１から７までのいずれか１項に定義されたマイクロカプセルスラリーまたは請求項９に定義された芳香組成物を含む消費者製品。
【請求項１１】
請求項１０に記載の消費者製品であって、
ａ）  前記消費者製品の総質量に対して２〜６５質量％の少なくとも１つの界面活性剤、
ｂ）  水および／または水混和性の親水性有機溶剤、および
ｃ）  請求項１から７までのいずれか１項に定義されたマイクロカプセルスラリー、または請求項９に定義された芳香組成物、
ｄ）  任意にカプセル化されていない香料
を含む、前記消費者製品。
【請求項１２】
液体洗剤、布用柔軟剤、液体の香料増強剤、ヘアケア製品またはボディケア製品の形態での液体の透明な等方性消費者製品である、請求項１１に記載の消費者製品であって、
ａ）  前記消費者製品の総質量に対して２〜６５質量％の少なくとも１つの界面活性剤、
ｂ）  水および／または水混和性の親水性有機溶剤、および
ｃ）  好ましくは、０．０１〜０．３％、好ましくは０．０１〜０．１５％、最も好ましくは０．０１〜０．１％の量での、請求項１から７までのいずれか１項に定義されたマイクロカプセルスラリーまたは請求項９に定義された芳香組成物、
ｄ）  任意にカプセル化されていない香料
を含む、前記消費者製品。
【請求項１３】
液体洗剤、布用コンディショナー、液体の香料増強剤、シャンプー、シャワーゲル、液体石鹸、洗い落とすタイプのヘアコンディショナー、ボディローションの形態での、液体の構造化された消費者製品である請求項１１に記載の消費者製品であって、
ａ）  前記消費者製品の総質量に対して２〜６５質量％の少なくとも１つの界面活性剤、
ｂ）  任意に、好ましくは、０．０５質量％〜８質量％、好ましくは０．１質量％〜５質量％の量での、構造化剤、
ｃ）  水または水混和性の親水性有機溶剤、および
ｄ）  好ましくは、０．０１質量％〜２．０質量％、好ましくは０．１質量％〜１質量％の量での、請求項１から７までのいずれか１項に定義されたマイクロカプセルスラリーまたは請求項８または９に定義された芳香組成物、
ｅ）  任意にカプセル化されていない香料
を含む、前記消費者製品。
【請求項１４】
請求項８に定義されたマイクロカプセル粉末または請求項９に定義された芳香組成物を含む、好ましくはホームケア、ボディケアまたはヘアケアの形態である、粉末化された、または固体の消費者製品。
【請求項１５】
請求項１４に記載の粉末化された、または固体の消費者製品であって、前記製品は好ましくは洗剤、香料増強剤、ドライシャンプーまたは石鹸の形態であり、
ａ）  前記消費者製品の総質量に対して２〜６５質量％の少なくとも１つの界面活性剤、またはポリエチレングリコールまたはポリプロピレングリコールであって、室温で固体であるもの、
ｂ）  請求項８に定義されたマイクロカプセル粉末または請求項９に定義された、好ましくは０．０１％〜２．０％の量、好ましくは０．１％〜１％の量での芳香組成物、
ｃ）  前記マイクロカプセルとは異なる任意の香料または香料粉末
を含む前記消費者製品。
【発明の詳細な説明】
【技術分野】
【０００１】
本発明は、オイルベースのコアおよびポリマーシェルを有し、前記オイルベースのコアが影響力の大きい(high impact)香料原料を有する香料オイルと密度均衡化材料とを含む、マイクロカプセルに関する。
【０００２】
前記マイクロカプセルを含む芳香組成物および消費者製品、特に、ファイン香料製品、ホームケアまたはパーソナルケア製品の形態の、等方性または構造化された消費者製品も、本発明の一部である。
【背景技術】
【０００３】
マイクロカプセル化は、揮発性材料を安定化して、そのような有効な利益材料、例えば香料オイルを様々な表面（布、紙等）の上に、または空気中に効率的に送達するための効率的な技術である。従って、マイクロカプセル、特にオイルベースのコアとポリマーシェルとを含有するいわゆるコアシェル型のものが、現在多くの消費者製品内で使用されている。
【０００４】
香料産業が直面する問題の１つは、そのようなマイクロカプセルを、様々な製品ベース（液体洗剤、布用コンディショナー、香料増強剤、食器用洗剤、床用クリーナー、シャンプー、濯ぎ落とすタイプのヘアコンディショナー）中に、経済的な方法で、使用の際に有効成分の測定される性能、例えば香料の場合には嗅覚的影響力に関して効率的に包含できなければならないことである。
【０００５】
その結果、香料産業は、改善された嗅覚性能を有するマイクロカプセルを常に探している。
【０００６】
マイクロカプセルは従来技術において広範に記載されている。
【０００７】
例えば、安定性および／または堆積に関する良好な性能を提供するために高密度化されたマイクロカプセルを開示する、米国特許第９１１９９７３号明細書(US9119973)、米国特許出願公開第２０１０／０１９０６７３号明細書(US2010/0190673)および米国特許出願公開第２００９／００３５３６５号明細書(US2009/0035365)を挙げることができる。しかしながら、例えば米国特許第９１１９９７３号明細書においては、最終製品（等方性液体洗剤）中での効果的な利益をもたらすために、マイクロカプセルは高い供与量で使用されなければならず、そのような非常に高いカプセル供与量は、最終製品の透明性／混濁度に非常に悪い効果を及ぼすことがある。
【先行技術文献】
【特許文献】
【０００８】
【特許文献１】米国特許第９１１９９７３号明細書
【特許文献２】米国特許出願公開第２０１０／０１９０６７３号明細書
【特許文献３】米国特許出願公開第２００９／００３５３６５号明細書
【発明の概要】
【発明が解決しようとする課題】
【０００９】
従って、改善された経済的な方法で、従来開示されているカプセルよりも少ない供与量ではあるがしかし同等の嗅覚的影響力（例えばブルーミング効果または長続きする効果）を有して使用され得る安定なマイクロカプセルについてのニーズがある。
【００１０】
本発明のマイクロカプセルは、非常に低いマイクロカプセル供与量であっても種々の消費者製品内で高い嗅覚性能を示すので、この問題を解決する。
【課題を解決するための手段】
【００１１】
本発明の概要
従って、本発明の第１の態様は、オイルベースのコアとポリマーシェルとを有する少なくとも１つのマイクロカプセルを含むマイクロカプセルスラリーであって、前記オイルベースのコアが、
・  Ｌｏｇ  Ｔ＜−４を有する影響力の大きい香料原料を少なくとも１５質量％含む香料オイル、２５〜９８質量％、および
・  １．０７ｇ／ｃｍ3を上回る密度を有する密度均衡化材料、２〜７５質量％
を含むことを特徴とする、前記マイクロカプセルスラリーである。
【００１２】
本発明の第２の対象は、上記で定義されたスラリーを乾燥させることによって得られるマイクロカプセル粉末である。
【００１３】
第３の対象は、
（ｉ）  上記で定義された香料マイクロカプセルスラリーまたは上記で定義されたマイクロカプセル粉末、
（ｉｉ）  香料担体および香料相互成分からなる群から選択される少なくとも１つの成分、および
（ｉｉｉ）  任意に香料補助剤
を含む芳香組成物である。
【００１４】
他の対象は、上記で定義されたマイクロカプセルスラリーまたは上記で定義された芳香組成物を含む消費者製品である。
【００１５】
定義
「等方性ベース」または「等方性消費者製品」は、透明且つ構造化されていない（ゲルを含む）液体として理解されるべきである。換言すれば、水相（外部の相構造化）または界面活性剤構造（内部の相構造化）中にいかなる構造化剤も含まない。
【００１６】
「構造化ベース」または「構造化消費者製品」は、一般に不透明であり、且つ周知の外的な構造化剤、たとえば水素化ヒマシ油、構造化ポリマー、例えばポリアクリレート（およびコポリマー）、キサンタンガム、チロース（ヒドロキシエチルセルロース）によって、または内的に構造化された例えばラメラ相または管状(tubular)相を含む界面活性剤を使用することによって構造化された液体として理解されるべきである。
【００１７】
本発明における「マイクロカプセル」またはその類似物は、ミクロン範囲（例えば約１〜１０００ミクロン、好ましくは１〜５００ミクロンに含まれる平均直径（ｄ（ｖ，０．５）））の粒径分布を有し、外部の固体のオリゴマーベースのシェルまたはポリマーシェル、および外部のシェルによって取り囲まれた内部の連続油相を含むカプセルを意味する。
【００１８】
「影響力の大きい香料原料」は、Ｌｏｇ  Ｔ＜−４を有する香料原料と理解されるべきである。化学化合物の臭気閾値濃度は、その形状、極性、部分電荷、および分子量によって部分的に決定される。便宜上、閾値濃度は、閾値濃度の常用対数、つまり、Ｌｏｇ［閾値］（「Ｌｏｇ  Ｔ」）として示される。
【００１９】
「密度均衡化材料」は、１．０７ｇ／ｃｍ3よりも大きい密度を有し且つ好ましくは低臭または無臭である材料として理解されるべきである。
【００２０】
発明の詳細な説明
特段記載されない限り、パーセンテージ（％）は、組成物の質量％を示すことを意味する。
【００２１】
この度、本発明は、影響力の大きい香料原料と高密度材料との間の特定の組み合わせを使用することにより、種々の消費者製品ベース内で、より少ない供与量の水準で使用できる安定且つ高性能マイクロカプセルを提供する方法を決定した。
【００２２】
その結果、それらのマイクロカプセルが少ない供与量でも効果的な影響力をもたらすという事実ゆえに、それらは特に等方性のベース（定義によれば、構造化されていないもの）内で、そのベースの透明性を著しく改質することなく有利に使用され得る。
【００２３】
実際に今まで先行技術のマイクロカプセルは等方性液体内で使用するために適しておらず、なぜなら、そのようなベースは透明であり、且つ必要な影響力をもたらすために、通常使用される必要とされる供与量のマイクロカプセルが、それらを混濁または不透明にしかねないからである。
【００２４】
さらには、本発明によるマイクロカプセルは有利なことに、特にそれらを少ない供与量で使用できるという能力、およびそれらのカプセルの比重が等方性ベースの密度に近いおかげで、（カプセルを懸濁させるために一般には必須であった）構造化剤を添加する必要なく等方性ベース中に安定な方式で懸濁され得ることが判明した。
【００２５】
マイクロカプセルスラリー中でマイクロカプセルのサイズはわずかに異なり、且つ平均粒径付近での粒径の狭いガウス分布によって定義されると理解されるべきである。従って、これは、平均カプセル密度周辺でのマイクロカプセル密度のガウス分布が狭いことに言い換えられる。また、この平均カプセル密度が等方性ベースの密度に近いことを確実にすることにより、スラリー中の全てのマイクロカプセルの密度はベースの密度に十分に近くなり、大半のカプセルの長期的に良好な懸濁を確実にする。
【００２６】
一般に、界面活性剤を多く含む液体の消費者製品は１．００を著しく上回る密度を有する一方で、カプセルスラリーは１．００のすぐ下または１．００に近い平均密度を有することが多い。従って、カプセルの平均密度を高める必要がある。カプセル壁の密度は一般にコアオイルの密度より高いので、１つの可能性は、所定のカプセルにおいてカプセル壁のコアオイルに対する割合を高めることである。しかしながら、これは嗅覚的には逆効果であり、なぜならカプセルの壁が厚くなるほど、性能は低くなるからである（擦る前後の両方で影響力が小さくなる）。本発明の代替的な解決策は、１．０７を上回る密度を有する、ある割合の密度均衡化材料を香料オイルに添加することによりコアオイルの密度を高めると同時に、前記香料オイルを影響力の大きい香料原料で強化して、快い性能を保持することである（そうしなければ前記の快い性能は密度均衡化材料による香料油の希釈によって低減される）。この度、そのように得られたコアオイルは、著しく高い密度を有する一方で、元のオイルの嗅覚的影響力を保持するか、または超えることすらある。
【００２７】
当然のことながら、本発明のマイクロカプセルは、高い嗅覚的性能を示すので、他のベース、例えば液体構造化消費者製品、またはさらには固体の消費者製品中で使用するためにも適している。
【００２８】
従って、本発明の第１の態様は、オイルベースのコアとポリマーシェルとを有する少なくとも１つのマイクロカプセルを含むマイクロカプセルスラリーであって、前記オイルベースのコアが、
・  Ｌｏｇ  Ｔ＜−４を有する影響力の大きい香料原料を少なくとも１５質量％含む香料オイル、２５〜９８質量％、および
・  １．０７ｇ／ｃｍ3を上回る密度を有する密度均衡化材料、２〜７５質量％
を含むことを特徴とする、前記マイクロカプセルスラリーである。
【００２９】
特定の実施態様によれば、前記オイルベースのコアは、
・  Ｌｏｇ  Ｔ＜−４を有する影響力の大きい香料原料を少なくとも１５質量％、好ましくは少なくとも３０質量％、より好ましくは少なくとも５０質量％含む香料オイル、２５質量％〜８５質量％、および
・  密度均衡化材料、１５〜７５質量％
を含む。
【００３０】
影響力の大きい香料原料
本発明によれば、前記オイルベースのコアは、Ｌｏｇ  Ｔ＜−４を有する香料原料を特定の量で含む香料オイルを含む。
【００３１】
特定の実施態様によれば、オイルベースのコアはさらに、機能性食品、化粧品、防虫剤および殺生活性物質からなる群から選択される少なくとも１つの他の成分を含む。
【００３２】
他の特定の実施態様によれば、オイルベースのコアは香料原料からなる。
【００３３】
本願において、「香料原料」または「芳香成分」は、臭いを付与するかまたは調節する主目的のために使用される化合物を意味する。換言すれば、そのような成分は芳香成分であるとみなされ、当業者によって良い方向または心地良い方向で組成物の臭いを少なくとも付与することができるかまたは変化させることができるものであって、臭いを有するだけでないとみなされるべきである。本発明に関しては、香料オイルは芳香成分と、一緒に前記芳香成分の送達を改善、強化または修正する物質、例えば香料前駆体、エマルションまたは分散液との組み合わせ、並びに臭いを修正または付与することを超える追加的な利益、例えば長期持続性、ブルーミング、悪臭の中和、抗菌作用、微生物安定性、防虫を付与する組み合わせも含む。
【００３４】
油相中に存在する芳香成分の性質および種類は、ここでより詳細な説明を請け負わず、それはいずれにせよ網羅できず、当業者はその一般的な知識に基づき、且つ、意図される使用または用途および所望の官能効果によって、それらを選択できる。一般的な用語においては、これらの芳香成分は、アルコール、ラクトン、アルデヒド、ケトン、エステル、エーテル、アセテート、ニトリル、テルペノイド、窒素含有または硫黄含有複素環式化合物および精油にまでわたる化学的分類に属し、且つ、その香料相互成分は天然または合成由来であってよい。これらの相互成分の多くはいずれにせよ、参考文献、例えばＳ．Ａｒｃｔａｎｄｅｒによる本、Ｐｅｒｆｕｍｅ  ａｎｄ  Ｆｌａｖｏｒ  Ｃｈｅｍｉｃａｌｓ、１９６９、Ｍｏｎｔｃｌａｉｒ、ニュージャージー、米国、またはそのより最近の版、または同様の性質の他の著作、並びに香料分野における豊富な特許文献内に列記されている。前記の成分は、様々な種類の芳香化合物を制御して放出することが知られている化合物であってよいとも理解される。
【００３５】
本発明によれば、前記オイルベースのコアは、Ｌｏｇ  Ｔ＜−４を有する影響力の大きい香料原料を少なくとも１５質量％、好ましくは少なくとも３０質量％、より好ましくは少なくとも５０質量％含む香料オイルを５〜９８質量％含む。
【００３６】
芳香化合物の臭気閾値濃度は、ガスクロマトグラフ（「ＧＣ」）を使用して決定される。具体的には、ガスクロマトグラフは、シリンジによって注入された香料オイル成分の正確な体積、正確な分割比、および炭化水素応答を決定するために、既知の濃度および鎖長分布の炭化水素標準を使用して較正される。空気流量は正確に測定され、且つ人間の吸息の時間が１２秒間続くと仮定し、採取された体積を計算する。任意の時点での検出器での正確な濃度が既知であるので、吸入された体積当たりの質量がわかり、したがって芳香化合物の濃度がわかる。前記閾値濃度を決定するために、逆算された濃度で溶液をスニフポート(sniff port)に送達する。パネリストはそのＧＣ溶出液の臭いをかぎ、臭いが検知された際にその保持時間を同定する。全てのパネリストにわたる平均が、芳香化合物の臭気閾値濃度を決定する。臭気閾値の決定は、Ｃ．Ｖｕｉｌｌｅｕｍｉｅｒ  ｅｔ  ａｌ．、Ｍｕｌｔｉｄｉｍｅｎｓｉｏｎａｌ  Ｖｉｓｕａｌｉｚａｔｉｏｎ  ｏｆ  Ｐｈｙｓｉｃａｌ  ａｎｄ  Ｐｅｒｃｅｐｔｕａｌ  Ｄａｔａ  Ｌｅａｄｉｎｇ  ｔｏ  ａ  Ｃｒｅａｔｉｖｅ  Ａｐｐｒｏａｃｈ  ｉｎ  Ｆｒａｇｒａｎｃｅ  Ｄｅｖｅｌｏｐｍｅｎｔ、Ｐｅｒｆｕｍｅ＆Ｆｌａｖｏｒｉｓｔ、Ｖｏｌ．３３、２００８年９月、５４〜６１ページ内により詳細に記載されている。
【００３７】
１つの実施態様によれば、Ｌｏｇ  Ｔ＜−４を有する影響力の大きい香料原料は以下の表１のリストから選択される。
【００３８】
【表１−１】
2020504771.tif 000002
【００３９】
【表１−２】
2020504771.tif 000003
【００４０】
【表１−３】
2020504771.tif 000004
【００４１】
１つの実施態様によれば、Ｌｏｇ  Ｔ＜−４を有する香料原料は、アルデヒド、ケトン、アルコール、フェノール、エステル、ラクトン、エーテル、エポキシド、ニトリルおよびそれらの混合物からなる群から選択される。
【００４２】
１つの実施態様によれば、Ｌｏｇ  Ｔ＜−４を有する香料原料は、アルコール、フェノール、エステル、ラクトン、エーテル、エポキシド、ニトリルおよびそれらの混合物からなる群の中で選択される少なくとも１つの化合物を、Ｌｏｇ  Ｔ＜−４を有する香料原料の総質量に対して好ましくは２０〜７０質量％に含まれる量で含む。
【００４３】
１つの実施態様によれば、Ｌｏｇ  Ｔ＜−４を有する香料原料は、Ｌｏｇ  Ｔ＜−４を有する香料原料の総質量に対して２０〜７０質量％のアルデヒド、ケトンおよびそれらの混合物を含む。
【００４４】
特定の実施態様によれば、影響力の大きい香料原料は、４−メチル−２−ペンチルピリジンを含む。
【００４５】
１つの実施態様によれば、香料オイルは、
・  ４−メチル−２−ペンチルピリジン、および
・  イソオイゲノール、シンナミルアセテート、フェニルエチルアセテート、インドール、ジヒドロミルセノール、ユーカリプトール、リナロール、２−エチル−４−（２，２，３−トリメチル−３−シクロペンテン−１−イル）−２−ブテン−１−オール、３，３−ジメチル−５−（２，２，３−トリメチル−３−シクロペンテン−１−イル）−４−ペンテン−２−オール、［１−メチル−２−［（１’，２’，２’−トリメチルビシクロ［３．１．０］ヘキサ−３’−イル）メチル］シクロプルピル］メチノールからなる群から選択される少なくとも１つの成分を含む。
【００４６】
従って、オイルベースのコア内に含有される残りの香料原料はＬｏｇ  Ｔ＞−４を有する。
【００４７】
Ｌｏｇ  Ｔ＞−４を有する香料原料の限定されない例を以下の表１Ａに挙げる。
【００４８】
【表２−１】
2020504771.tif 000005
【００４９】
【表２−２】
2020504771.tif 000006
【００５０】
【表２−３】
2020504771.tif 000007
【００５１】
密度均衡化材料
本発明によれば、オイルベースのコアは１．０７ｇ／ｃｍ3を上回る密度を有する密度均衡化材料を２〜７５質量％含む。
【００５２】
成分の密度は、質量と体積との比として定義される（ｇ／ｃｍ3）。
【００５３】
成分の密度を決定するためにいくつかの方法が利用できる。
【００５４】
エッセンシャルオイルのｄ２０密度を測定するために、例えば、ＩＳＯ  ２９８：１９９８の方法を参照できる。
【００５５】
１つの実施態様によれば、密度均衡化材料は、ベンジルサリチレート、ベンジルベンゾエート、シクロヘキシルサリチレート、ベンジルフェニルアセテート、フェニルエチルフェノキシアセテート、トリアセチン、メチルおよびエチルサリチレート、ベンジルシンナメートおよびそれらの混合物からなる群の中で選択される。
【００５６】
特定の実施態様によれば、密度均衡化材料は、ベンジルサリチレート、ベンジルベンゾエート、シクロヘキシルサリチレートおよびそれらの混合物からなる群の中で選択される。
【００５７】
香料オイルと密度均衡化材料との間の相対的な割合
影響力の大きい香料原料と本発明内で定義される密度均衡化材料との間の具体的な組み合わせは、最終製品の密度に近い全体的なカプセルの密度をもたらす。
【００５８】
従って、香料原料と密度均衡化材料との間の相対的な割合を、目標の最終的な消費者製品の密度に従って最適化できる。
【００５９】
典型的には、
・  １．００５ｇ／ｃｍ3〜１．０２ｇ／ｃｍ3の密度を有する等方性ベースについては、オイルベースのコアは６０〜７５％の香料オイルおよび２５〜４０％の密度均衡化材料を含む、
・  １．０２ｇ／ｃｍ3〜１．０３ｇ／ｃｍ3の密度を有する等方性ベースについては、オイルベースのコアは５０〜６５％の香料オイルおよび３５〜５０％の密度均衡化材料を含む、
・  １．０３ｇ／ｃｍ3〜１．０６ｇ／ｃｍ3の密度を有する等方性ベースについては、オイルベースのコアは３５〜４５％の香料オイルおよび５５〜６５％の密度均衡化材料を含む、
・  １．０６ｇ／ｃｍ3〜１．０８ｇ／ｃｍ3の密度を有する等方性ベースについては、オイルベースのコアは２５〜３５％の香料オイルおよび６５〜７５％の密度均衡化材料を含む、
・  構造化されたベースについては、オイルベースのコアは８０〜９５％の香料オイルおよび５〜２０％の密度均衡化材料を含む。
【００６０】
マイクロカプセル
本発明のマイクロカプセルのポリマーシェルの性質は多様であり得る。限定されない例として、シェルはポリウレア、ポリウレタン、ポリアミド、ポリアクリレート、ポリシロキサン、ポリカーボネート、ポリスルホンアミド、ウレアホルムアルデヒド、メラミンホルムアルデヒド樹脂、メラミンウレア樹脂、メラミングリオキサール樹脂、ゼラチン／アラビアゴムシェル壁、およびそれらの混合物からなる群から選択される材料製であってよい。
【００６１】
シェルはハイブリッド、つまり有機・無機、例えば少なくとも２種の架橋された無機粒子で構成されるハイブリッドシェル、またはポリアルコキシシランマクロモノマー組成物の加水分解および縮合反応から得られるシェルであってもよい。
【００６２】
１つの実施態様によれば、シェルはアミノプラストコポリマー、例えばメラミンホルムアルデヒドまたはウレアホルムアルデヒド、または架橋されたメラミンホルムアルデヒドまたはメラミングリオキサールを含む。
【００６３】
液体の界面活性剤を多く含む製品中でそれらのカプセルを貯蔵する際のオイルコアの保持が重要であるので、特定の実施態様によれば、コアシェルマイクロカプセルは、以下の段階：
１）  香料オイルを少なくとも２つのイソシアネート官能基を有するポリイソシアネートと混合して、油相を形成する段階、
２）  アミノプラスト樹脂および任意に安定剤を水中に分散または溶解させて水相を形成する段階、
３）  油相を水相に添加して、水中油型の分散液を形成する段階、ここで、油相と水相とを混合することにより、平均液滴サイズは、１〜１００マイクロメートルに含まれる、
４）  硬化段階を実施して、前記マイクロカプセルの壁を形成する段階、および
５）  最終的な分散液を任意に乾燥させて、乾燥されたコアシェルマイクロカプセルを得る段階
を含む方法によって得られる架橋されたメラミンホルムアルデヒドマイクロカプセルである。
【００６４】
この方法は、国際公開第２０１３／０９２３７５号(WO2013/092375)および国際公開第２０１５／１１０５６８号(WO2015/110568)内により詳細に記載され、それらの内容は参照をもって本願内に含まれるものとする。
【００６５】
他の実施態様によれば、シェルは、ポリウレア系、例えば限定されずにイソシアネート系のモノマーと、アミン含有架橋剤、例えば炭酸グアニジンおよび／またはグアナゾールとから製造されるものである。好ましいポリウレア系のマイクロカプセルは、少なくとも２つのイソシアネート官能基を含む少なくとも１つのポリイソシアネートと、アミン（例えば水溶性グアニジン塩およびグアニジン）、コロイド安定剤または乳化剤からなる群から選択される少なくとも１つの反応物質との間の重合の反応生成物であるポリウレア壁、およびカプセル化された香料を含む。しかしながら、アミンの使用は省略してもよい。
【００６６】
他の実施態様によれば、シェルは例えば限定されずにポリイソシアネートおよびポリオールから製造されるポリウレタン系、ポリアミド、ポリエステル等である。
【００６７】
特定の実施態様によれば、コロイド安定剤は、０．１〜０．４％のポリビニルアルコール、０．６〜１％のビニルピロリドンおよび四級化ビニルイミダゾールのカチオン性コポリマー（全てのパーセンテージはコロイド安定剤の総質量に対する質量によって定義されている）の水溶液を含む。他の実施態様によれば、乳化剤は、好ましくはポリアクリレート（および特にアクリルアミドとのコポリマー）、アラビアゴム、ダイズタンパク質、ゼラチン、カゼイン酸ナトリウムおよびそれらの混合物からなる群から選択されるアニオン性または両親媒性バイオポリマーである。
【００６８】
特定の実施態様によれば、ポリイソシアネートは、好ましくはフェニル、トルイル、キシリル、ナチフルまたはジフェニル部分を含む、芳香族ポリイソシアネートである。好ましい芳香族ポリイソシアネートはビウレット、およびポリイソシアヌレート類、より好ましくはトルエンジイソシアネートのポリイソシアヌレート（Ｂａｙｅｒから商品名Ｄｅｓｍｏｄｕｒ（登録商標）  ＲＣとして市販）、トルエンジイソシアネートのトリメチロールプロパン付加物（Ｂａｙｅｒから商品名Ｄｅｓｍｏｄｕｒ（登録商標）  Ｌ７５として市販）、キシリレンジイソシアネートのトリメチロールプロパン付加物（三井化学から商品名Ｔａｋｅｎａｔｅ（登録商標）  Ｄ−１１０Ｎとして市販）である。
【００６９】
特定の実施態様によれば、ポリイソシアネートは、キシリレンジイソシアネートのトリメチロールプロパン付加物（三井化学から商品名Ｔａｋｅｎａｔｅ（登録商標）  Ｄ−１１０Ｎとして市販）である。
【００７０】
コアシェルマイクロカプセルの水性分散液／スラリーの調製は当業者に周知である。１つの態様において、前記マイクロカプセル壁の材料は、任意の適した樹脂を含むことができ、特にメラミン、グリオキサール、ポリウレア、ポリウレタン、ポリアミド、ポリエステル等を含む。適した樹脂は、アルデヒドおよびアミンの反応生成物を含み、適したアルデヒドはホルムアルデヒドおよびグリオキサールを含む。適したアミンはメラミン、ウレア、ベンゾグアナミン、グリコールウリルおよびそれらの混合物を含む。適したメラミンは、メチロールメラミン、メチル化メチロールメラミン、イミノメラミンおよびそれらの混合物を含む。適したウレアは、ジメチロールウレア、メチル化ジメチロールウレア、ウレアレソルシノールおよびそれらの混合物を含む。製造のために適した材料は、以下の会社の１つ以上から得ることができる：  Ｓｏｌｕｔｉａ  Ｉｎｃ．（Ｓｔ  Ｌｏｕｉｓ、Ｍｉｓｓｏｕｒｉ、米国）、Ｃｙｔｅｃ  Ｉｎｄｕｓｔｒｉｅｓ（Ｗｅｓｔ  Ｐａｔｅｒｓｏｎ、Ｎｅｗ  Ｊｅｒｓｅｙ、米国）、  Ｓｉｇｍａ−Ａｌｄｒｉｃｈ（Ｓｔ．Ｌｏｕｉｓ、Ｍｉｓｓｏｕｒｉ、米国）。
【００７１】
特定の実施態様によれば、コアシェルマイクロカプセルはホルムアルデヒド不含のカプセルである。アミノプラストホルムアルデヒド不含のマイクロカプセルスラリーの典型的な調製方法は、以下の段階：
１）  下記ａ）〜ｃ）の反応生成物を含む、または下記ａ）〜ｃ）を一緒に反応させることにより得られるオリゴマー組成物を調製する段階：
ａ）  メラミンの形態、またはメラミンと、２つのＮＨ2官能基を含む少なくとも１つのＣ1〜Ｃ4−化合物との混合物の形態のポリアミン成分、
ｂ）  グリオキサール、Ｃ4〜Ｃ6−２，２−ジアルコキシエタナールおよび任意にグリオキサレートの混合物であって、グリオキサール／Ｃ4〜Ｃ6−２，２−ジアルコキシエタナールのモル比が１／１〜１０／１に含まれる前記混合物の形態でのアルデヒド成分、および
ｃ）  プロトン酸触媒、
２）  水中油型分散液を調製する段階、ここで液滴のサイズは１〜６００μｍに含まれ、且つ
ｉ．  オイル、
ｉｉ．  水媒体、
ｉｉｉ．  段階１で得られた少なくとも１つのオリゴマー組成物、
ｉｖ．  下記：
Ａ）  Ｃ４〜Ｃ１２−芳香族または脂肪族ジイソシアネートまたはトリイソシアネート、およびそれらのビウレット、トリウレット、トリマー、トリメチロールプロパン付加物、およびそれらの混合物、および／または
Ｂ）  式
Ａ−（オキシラン−２−イルメチル）n
［前記式中、ｎは２または３を意味し、且つＡは任意に２〜６個の窒素原子および／または酸素原子を含むＣ2〜Ｃ6−基を表す］
のジオキシランまたはトリオキシラン、
から選択される少なくとも１つの架橋剤、
ｖ．  任意に、２つのＮＨ2官能基を含むＣ1〜Ｃ4−化合物
を含む、
３）  前記分散液を加熱する段階、
４）  前記分散液を冷却する段階
を含む。
【００７２】
この方法は、国際公開第２０１３／０６８２５５号(WO2013/068255)内により詳細に記載され、その内容は参照をもって本願内に含まれるものとする。
【００７３】
他の実施態様によれば、マイクロカプセルのシェルは、ポリウレア系またはポリウレタン系である。ポリウレア系またはポリウレタン系マイクロカプセルスラリーの調製方法の例は、例えば国際公開第２００７／００４１６６(WO2007/004166)、欧州特許第２３００１４６号明細書(EP2300146)、欧州特許第２５７９９７６号明細書(EP2579976)内に記載され、その内容は参照をもって本願内に含まれるものとする。典型的には、ポリウレア系またはポリウレタン系マイクロカプセルスラリーの調製方法は、以下の段階：
ａ）  少なくとも２つのイソシアネート基を有する少なくとも１つのポリイソシアネートをオイル中に溶解して、油相を形成する段階、
ｂ）  乳化剤またはコロイド安定剤の水溶液を調製して水相を形成する段階、
ｃ）  前記油相を前記水相に添加して、水中油型分散液を形成する段階、ここで、平均液滴サイズは１〜５００μｍ、好ましくは５〜５０μｍに含まれる、
ｄ）  界面重合を引き起こすために十分な条件を印加し、スラリーの形態でマイクロカプセルを形成する段階
を含む。
【００７４】
本発明によれば、カプセル化の後、マイクロカプセルの性質がどうであろうと、カプセルの内部コアは、香料オイルおよび本発明内で定義される高密度均衡化材料で構成されるコアオイルのみで構成されていることが理解されるべきである。
【００７５】
マイクロカプセル粉末
本発明の他の対象は、上記で定義されたマイクロカプセルスラリーを乾燥させることによって得られるマイクロカプセル粉末である。
【００７６】
特定の実施態様によれば、前記スラリーを担体エマルション内で、遊離したオイルのエマルションと混合し、次いで乾燥することにより、ハイブリッドマイクロカプセルが得られる。
【００７７】
当業者に公知の任意の乾燥方法を使用でき、特にスラリーを噴霧乾燥、好ましくはポリマーの担体材料、例えばポリビニルアセテート、ポリビニルアルコール、デキストリン、天然または化工デンプン、植物ガム、ペクチン、キサンタン、アルギネート、カラギーナンまたはセルロース誘導体の存在下で噴霧乾燥させて、粉末形態のマイクロカプセルをもたらすことができる。
【００７８】
芳香組成物
本発明の他の対象は、
（ｉ）  上記で定義された香料マイクロカプセルスラリーまたはマイクロカプセル粉末、ここで、オイルベースのコアが香料を含む、
（ｉｉ）  香料担体、香料相互成分、およびそれらの混合物からなる群から選択される少なくとも１つの成分、
（ｉｉｉ）  任意に少なくとも１つの香料補助剤
を含む芳香組成物である。
【００７９】
特定の実施態様によれば、芳香組成物が香料マイクロカプセルスラリーを含む場合、前記芳香組成物を乾燥に供することができる。
【００８０】
液体の香料担体としては、限定されない例として、乳化系、即ち、溶剤および界面活性剤系、または香料において一般に使用される溶剤を挙げることができる。香料において一般に使用される溶剤の性質および種類の詳細な説明は、網羅できない。しかしながら、限定されない例として、溶媒、例えばジプロピレングルコール、ジエチルフタレート、イソプロピルミリスタート、ベンジルベンゾエート、２−（２−エトキシエトキシ）−１−エタノールまたはクエン酸エチルを挙げることができ、これらが最も一般的に使用されている。香料担体と香料相互成分との両方を含む組成物について、先に特定されたものの他の適した香料担体は、エタノール、水／エタノール混合物、リモネンまたは他のテルペン、イソパラフィン、例えば商標Ｉｓｏｐａｒ（登録商標）（製造元：  Ｅｘｘｏｎ  Ｃｈｅｍｉｃａｌ）として公知のもの、またはグリコールエーテルおよびグリコールエーテルエステル、例えば商標Ｄｏｗａｎｏｌ（登録商標）（製造元：  Ｄｏｗ  Ｃｈｅｍｉｃａｌ  Ｃｏｍｐａｎｙ）として公知のものであってもよい。本願において「香料相互成分」とは、快い効果を付与するために芳香調製物または組成物に使用される化合物を意味し、それは上記に定義されたマイクロカプセルではない。換言すれば、そのような相互成分は芳香性のものであるとしてみなされ、当業者によって、良い方向にまたは心地よく、組成物の臭いを付与または修正でき、且つ、単に臭いを有するだけではないとして認識されなければならない。
【００８１】
芳香組成物中に存在する香料相互成分の性質および種類は、ここでより詳細な説明を請け負わず、それはいずれにせよ網羅できず、当業者はその一般的な知識に基づき且つ意図される使用または用途および所望の官能効果に従って、それらを選択することができる。一般的な用語においては、これらの香料相互成分は、アルコール、ラクトン、アルデヒド、ケトン、エステル、エーテル、アセテート、ニトリル、テルペノイド、窒素含有または硫黄含有複素環式化合物および精油にまでわたる化学的分類に属し、且つ、前記の香料相互成分は天然または合成由来であってよい。これらの相互成分の多くはいずれにせよ、参考文献、例えばＳ．Ａｒｃｔａｎｄｅｒによる本、Ｐｅｒｆｕｍｅ  ａｎｄ  Ｆｌａｖｏｒ  Ｃｈｅｍｉｃａｌｓ、１９６９、Ｍｏｎｔｃｌａｉｒ、ニュージャージー、米国、またはそのより最近の版、または同様の性質の他の著作、並びに香料分野における豊富な特許文献内に列記されている。前記の相互成分は、様々な種類の芳香化合物を制御して放出することが知られている化合物であってもよいとも理解される。
【００８２】
「香料補助剤」は本願において、追加的に加えられる利益、例えば色、特定の耐光性、化学的安定性などを付与できる成分を意味する。香料ベース中で一般に使用される補助剤の性質および種類の詳細な説明は網羅できないが、しかし、前記の成分は当業者には周知であることに言及しなければならない。
【００８３】
好ましくは、本発明による芳香組成物は、０．０５〜３０質量％、好ましくは０．１〜３０質量％の上記で定義されたマイクロカプセルを含む。
【００８４】
消費者製品
本発明のマイクロカプセルは、その高い嗅覚性能のおかげで、多くの用途分野において、および消費者製品内で有利に使用され得る。
【００８５】
従って、マイクロカプセルは、様々な液体の消費者製品（等方性または構造化された消費者製品）に適用可能な液体の形態で、並びに粉末化されたまたは固体の消費者製品に適用可能な粉末または固体の形態で使用され得る。
【００８６】
本発明の製品は特に、着香された消費者製品、例えばファイン香料または「機能性」香料に属する製品内で使用され得る。機能性香料は特に、ヘアケア、ボディクレンジング、スキンケア、衛生ケア、並びに洗濯物のケアおよび空気ケアを含むホームケア製品を含むパーソナルケア製品を含む。従って、本発明の他の対象は、上記で定義されたマイクロカプセルまたは上記で定義された芳香組成物を芳香成分として含む着香された消費者製品からなる。前記消費者製品の香料の成分は、上記で定義された香料マイクロカプセルと、遊離しているかまたはカプセル化されていない香料、並びに本願に開示されるものとは異なる種類の香料マイクロカプセルとの組み合わせであってよい。
【００８７】
明確化のために、「着香消費者製品」とは、様々な利益の中でも芳香効果を、それが適用される表面（例えば肌、髪、布、紙または家財の表面）または空気（空気清浄剤、脱臭剤等）に送達することが期待されている消費者製品を意味することに言及しなければならない。換言すれば、本発明による着香消費者製品は、利益剤と共に「ベース」とも称される機能性配合物を含み、その中に効果的な量の本発明によるマイクロカプセルを有する生産品である。
【００８８】
着香消費者製品の他の成分の性質および種類は、ここではより詳細な説明を請け負わず、いずれにせよそれは網羅できず、当業者はその一般的な知識に基づき、且つ前記の製品の性質および所望の効果によってそれらを選択できる。本発明のマイクロカプセルが混合され得る消費者製品のベース配合物を、そのような製品についての豊富な文献内で見つけることができる。それらの配合物はここで詳細な説明を請け負わず、いずれにせよそれは網羅できない。そのような消費者製品を配合する当業者は、一般的な知見および入手可能な文献に基づき、適した成分を完全に選択できる。
【００８９】
適した着香消費者製品の限定されない例は、香料、例えばファイン香料、コロンまたはアフターシェーブローション；  布用ケア製品、例えば液体または固体洗剤、錠剤およびポッド、布用柔軟剤、ドライヤーシート、布用リフレッシャー、香料増強剤、アイロン水または漂白剤；  ボディケア製品、例えばヘアケア製品（例えばシャンプー、ヘアコンディショナー、染色用調製物またはヘアスプレー）、化粧品（例えばバニシングクリーム、ボディローションまたは消臭剤または制汗剤）、またはスキンケア製品（例えば着香石鹸、シャワーまたはバスフォーム、ボディウォッシュ、オイルまたはジェル、バスソルト、または衛生製品）；  空気ケア製品、例えばエアフレッシュナーまたは「すぐ使用できる」粉末化エアフレッシュナー；  またはホームケア製品、例えば多目的クリーナー、液体または粉末または錠剤の食器洗浄製品、トイレ用洗剤または様々な表面を洗浄するための製品、例えば布または硬質表面（床、タイル、石敷等）の処理およびリフレッシュのために意図されるスプレーおよびワイプ、衛生用品、例えば生理用ナプキン、おむつ、トイレットペーパーであってよい。
【００９０】
本発明の他の対象は、液体形態、好ましくはホームケア製品、ヘアケア製品またはボディケア製品の形態の消費者製品であって、上記で定義されたマイクロカプセルスラリーまたは上記で定義された芳香組成物を含む、前記消費者製品である。
【００９１】
１つの実施態様によれば、前記消費者製品は、
ａ）  前記消費者製品の総質量に対して２〜６５質量％の少なくとも１つの界面活性剤、
ｂ）  水および／または水混和性の親水性有機溶剤、および
ｃ）  上記で定義されたマイクロカプセルスラリー、または上記で定義された芳香組成物、
ｄ）  任意にカプセル化されていない香料
を含む。
【００９２】
特定の実施態様によれば、前記消費者製品は、好ましくは液体洗剤、布用柔軟剤、液体の香料増強剤、ヘアケア製品またはボディケア製品の形態での、液体の透明な等方性消費者製品である。
【００９３】
実際に、本発明のマイクロカプセルは、等方性の消費者製品のために特に適していることが示されており、なぜなら、それらは非常に少ない供与量で使用され得るので、最終的な製品の透明性に及ぼす影響は非常に少ないからである。
【００９４】
１つの実施態様によれば、前記消費者製品は、液体洗剤、布用柔軟剤、液体の香料増強剤、ヘアケア製品またはボディケア製品の形態での液体の透明な等方性消費者製品であって、
ａ）  前記消費者製品の総質量に対して２〜６５質量％の少なくとも１つの界面活性剤、
ｂ）  水および／または水混和性の親水性有機溶剤、および
ｃ）  好ましくは前記消費者製品の総質量に対して０．０１〜０．３％、好ましくは０．０１〜０．１５％、最も好ましくは０．０１〜０．１％の量の上記で定義されたマイクロカプセルスラリーまたは上記で定義された芳香組成物
ｄ）  任意にカプセル化されていない香料
を含む。
【００９５】
実際に、本発明のマイクロカプセルは、等方性の消費者製品のために特に適していることも示されており、なぜなら、それらは非常に少ない供与量で使用され得るので、製品の混濁に非常にわずかな影響しか及ぼさず、且つ最終製品を経済的にするからである。
【００９６】
この実施態様、つまり等方性の消費者製品についての実施態様によれば、オイルベースのコアは２５〜７５％の香料オイルと、２５〜７５％の密度均衡化材料とを含む。
【００９７】
典型的には、
・  １．００５〜１．０２の密度を有する等方性ベースについては、オイルベースのコアは６０〜７５％の香料オイルおよび２５〜４０％の密度均衡化材料を含む、
・  １．０〜１．０３の密度を有する等方性ベースについては、オイルベースのコアは５０〜６５％の香料オイルおよび３５〜５０％の密度均衡化材料を含む、
・  １．０３〜１．０６の密度を有する等方性ベースについては、オイルベースのコアは３５〜４５％の香料オイルおよび５５〜６５％の密度均衡化材料を含む、
・  １．０６〜１．０８の密度を有する等方性ベースについては、オイルベースのコアは２５〜３５％の香料オイルおよび６５〜７５％の密度均衡化材料を含む。
【００９８】
等方性の消費者製品について、香料オイルは、好ましくは少なくとも３０％、より好ましくは少なくとも５０％の、Ｌｏｇ  Ｔ＜−４を有する影響力の大きい香料原料を含むことが好ましい。
【００９９】
この実施態様によれば、つまり等方性消費者製品についての実施態様によれば、平均粒径１００μｍ未満、好ましくは５０μｍ未満、最も好ましくは２５μｍ未満を有するマイクロカプセルが好ましく、なぜなら、これは、単独の粒径が長期的な懸濁を確実にするために充分ではない場合であっても、経時的な懸濁を助けるからである。
【０１００】
他の実施態様によれば、前記消費者製品は、好ましくは液体洗剤、布用コンディショナー、液体の香料増強剤、シャンプー、シャワーゲル、液体石鹸、洗い落とすタイプのヘアコンディショナー、ボディローションの形態での、液体の構造化された消費者製品である。
【０１０１】
１つの実施態様によれば、液体洗剤または布用コンディショナーは、水分の少ない液体洗剤または布用コンディショナーのユニドース／ポッド（シングルまたはマルチチャンバ）の形態である。
【０１０２】
実際に、本発明のマイクロカプセルは、構造化された消費者製品のために特に適していることも示されており、なぜなら、それらは非常に少ない供与量で使用され得るので、最終製品を経済的にするからである。
【０１０３】
他の実施態様によれば、前記消費者製品は、好ましくは液体洗剤、布用コンディショナー、液体の香料増強剤、シャンプー、シャワーゲル、液体石鹸、洗い落とすタイプのヘアコンディショナー、ボディローションの形態での、液体の構造化された消費者製品であって、
ａ）  前記消費者製品の総質量に対して２〜６５質量％の少なくとも１つの界面活性剤、
ｂ）  任意に、好ましくは、０．０５質量％〜８質量％、最も好ましくは０．１質量％〜５質量％の量での、構造化剤、
ｃ）  水または水混和性の親水性有機溶剤、および
ｄ）  前記消費者製品の総質量に対して好ましくは０．０１質量％〜２．０質量％、好ましくは０．１質量％〜１質量％の量での、上記で定義されたマイクロカプセルスラリーまたは上記で定義された芳香組成物、
ｅ）  任意にカプセル化されていない香料
を含む前記消費者製品も本発明の一部である。
【０１０４】
構造化剤は、流体の粘度を高めるために適した任意の物質として定義される。例えば、アクリレート（コ）ポリマーおよび架橋されたアクリレートポリマー、構造化ガム（アガーガム、キサンタンガム、ローカストビーンガム、キシログルカン、ゲランガム、ペクチン、アルギネート、カラギーナンガム、グアーおよび変性グアー、ラムザンガム、フルセラランガム）、デンプンおよびデンプン誘導体、変性セルロースポリマー、例えばメチルセルロース、ヒドロキシアルキルセルロース（特にヒドロキシエチルまたはヒドロキシプロピルセルロース）、疎水変性ヒドロキシエチルセルロース、変性ポリエーテルを挙げることができる。
【０１０５】
この実施態様、つまり構造化された消費者製品についての実施態様によれば、オイルベースのコアは８０〜９５％の香料オイルと、５〜２０％の密度均衡化材料とを含む。
【０１０６】
この実施態様によれば、平均直径５００μｍ未満、好ましくは１００μｍ未満を有するマイクロカプセルが好ましい。
【０１０７】
本発明の他の対象は、好ましくは粉末洗剤、固体の香料増強剤、ドライシャンプーまたは石鹸の形態での、粉末化された、または固体の消費者製品であって、上記で定義されたマイクロカプセルスラリーまたはマイクロカプセル粉末または上記で定義された芳香組成物を含む前記消費者製品である。
【０１０８】
好ましくは洗剤、香料増強剤、ドライシャンプーまたは石鹸の形態での、粉末化された、または固体の消費者製品であって、
ａ）  前記消費者製品の総質量に対して２〜６５質量％の少なくとも１つの界面活性剤、またはポリエチレンまたはポリプロピレングリコールであって、室温で固体であるもの、
ｂ）  好ましくは、０．０１％〜２．０％、好ましくは０．１％〜１％の量での、上記で定義されたマイクロカプセル粉末または上記で定義された芳香組成物、
ｃ）  前記マイクロカプセルとは異なる任意の香料または香料粉末
を含む前記消費者製品も本発明の一部である。
【０１０９】
本発明のカプセルは、著しい量の界面活性剤を含有する消費者製品中で特に且つ有利に安定であることが証明されている。
【０１１０】
さらには、供与量が少ないにもかかわらず、それらは種々の消費者製品（等方性および構造化されたベース）中で非常に良好な嗅覚的性能も実証されている。
【０１１１】
本発明をここで、実施例によってさらに詳細に説明する。特許請求される発明は、それらの実施例によってどのようにも限定されないことが意図されていると理解される。
【実施例】
【０１１２】
本発明によるマイクロカプセルの合成（カプセルＡおよびＢ）
【表３】
2020504771.tif 000008
【０１１３】
１）  Ｔａｋｅｎａｔｅ（登録商標）  Ｄ１１０Ｎ（酢酸エチル中で７５％の活性溶液）
２）  Ｃｉｂａ製のＡｌｃａｐｓｏｌ、水中で２０％の溶液
３）  Ｃｙｔｅｃ製のＣｙｍｅｌ  ３８５とＣｙｍｅｌ  ９３７０との９０／１０のブレンド、両方とも水中で７０％の溶液
４）  Ｃｉｂａ製のＳａｌｃａｒｅ  ＳＣ６０、水中で３％の溶液
５）＝純粋なメラミン／ホルムアルデヒド樹脂（２）で使用された量の７０％）／香料オイルの量。
【０１１４】
ポリイソシアネート（キシリレンジイソシアネートのトリメチロールプロパン付加物、Ｔａｋｅｎａｔｅ（登録商標）  Ｄ−１１０Ｎ、製造元：  三井化学）を、香料オイル（下記の表２参照）と高密度均衡化材料とで構成されるコアオイルと混合することによって油相を調製した。前記油相は２％のＴａｋｅｎａｔｅ（登録商標）  Ｄ−１１０Ｎと、９８％のコアオイルとからなった。カプセル化し、Ｔａｋｅｎａｔｅ  Ｄ−１１０Ｎを使用してメラミンホルムアルデヒド壁を架橋させた後、未反応のポリイソシアネートがコアオイル中に残留する水準は非常に低かったので、カプセルの内部コアは、香料オイルおよび高密度均衡化材料で構成されるコアオイルのみで構成されていた。
【０１１５】
カプセルスラリーを製造するために、アクリルアミドおよびアクリル酸コポリマー、および２つのメラミンホルムアルデヒド樹脂のブレンドを、水中で溶解して水相を形成した。次いで、香料プレミックスオイルをこの溶液に添加し、酢酸を用いてｐＨを５に調節した。温度を２時間、９０℃へと高めて、カプセルを硬化させた。この時点で、カプセルは形成され、架橋され、且つ安定であった。次いで、Ｓａｌｃａｒｅ  ＳＣ６０（アクリルアミドプロピルトリモニウムクロリド／アクリルアミドコポリマー）の水中で３％の溶液を前記混合物中に９０℃で添加して、１時間、９０℃で反応させた。次いで、通常行われるとおり残留する遊離ホルムアルデヒドを捕捉するための薬剤としてのアミノプラストカプセルと共に、エチレン尿素の溶液（水中で５０質量％）を添加した。最終的なスラリーは、該スラリーの質量に対して約３％（質量／質量）のエチレン尿素を含有し、前記混合物を室温に冷却させた。水酸化ナトリウムを用いて最終的なｐＨを７に調節した。
【０１１６】
本発明によるマイクロカプセル（カプセルＣ）の合成
丸底フラスコ内で、メラミン（０．９１ｇ）、２，２−ジメトキシエタナール（水中で６０質量％、１．３７ｇ）、グリオキサール（水中で４０質量％、１．７３ｇ）、および２−オキソ酢酸（水中で５０質量％、０．５８ｇ）を、水（１．４８ｇ）中に室温で分散させた。分散液のｐＨ値を、水酸化ナトリウム（水中で３０質量％、ｐＨ＝９．５）を用いて調節した。反応混合物を４５℃で２５分間加熱して、溶液をもたらした。次いで、水（６．３１ｇ）を添加し、樹脂を４５℃で５分間撹拌した。
【０１１７】
樹脂を２００ｍＬのビーカー内に移した。グアナゾール（０．６０ｇ）をＡｍｂｅｒｇｕｍ  １２２１の溶液（水中で２質量％、２７．０４ｇ）中に溶解させた。得られる溶液を前記ビーカーに導入した。Ｔａｋｅｎａｔｅ  Ｄ−１１０Ｎ（２．１５ｇ）の油溶液、および影響力の大きい香料と高密度／低〜無臭の有機材料との混合物（２９．５６ｇ）を前記水溶液中に添加した。二相の反応混合物を、Ｕｌｔｒａ−ｔｕｒｒａｘを用いて２１５００ｒｐｍで２分間せん断した。酢酸を添加して重縮合を開始させた（ｐＨ＝５．３５）。エマルションの品質は光学顕微鏡によって管理された。エマルションを２００ｍＬのＳｃｈｍｉｚｏ反応器内に移し、４５℃で１時間、次いで６０℃で１時間、そして最後に８０℃で２時間加熱した。次いで、第１のカチオン性コポリマーの溶液、つまりアクリルアミドプロピルトリモニウムクロリド／アクリルアミドコポリマー（Ｓａｌｃａｒｅ  ＳＣ６０、製造元：  ＢＡＳＦ）（２０ｇ、水中で３質量％）、および第２のカチオン性コポリマー、例えばポリクオタニウム−１６（Ｌｕｖｉｑｕａｔ（登録商標）  ＦＣ５５０、製造元：  ＢＡＳＦ、ドイツ）（水中で１質量％）を添加し、その反応混合物を８０℃で３０分間加熱した。尿素溶液（６．２５ｇ、水中で５０質量％）を最後に反応混合物に添加し、それを８０℃で３０分間加熱した。
【０１１８】
【表４】
2020504771.tif 000009
【０１１９】
１）  表２Ａを参照
２）  表２Ｂを参照
３）  表２Ｃを参照
４）  表２Ｄを参照
５）  表２Ｅを参照
６）  表２Ｆを参照
７）  表２Ｇを参照。
【０１２０】
【表５−１】
2020504771.tif 000010
【０１２１】
【表５−２】
2020504771.tif 000011
【０１２２】
１）  Ｎｅｏｂｕｔｅｎｏｎｅ（登録商標）、製造元：  Ｆｉｒｍｅｎｉｃｈ  ＳＡ、ジュネーブ、スイス
２）  製造元：  Ｆｉｒｍｅｎｉｃｈ  ＳＡ、ジュネーブ、スイス
３）  Ｂｏｕｒｇｅｏｎａｌ（登録商標）、製造元：Ｇｉｖａｕｄａｎ  ＳＡ、ヴェルニエ、スイス
４）  Ｂａｃｔａｎｏｌ（登録商標）、製造元：Ｉｎｔｅｒｎａｔｉｏｎａｌ  Ｆｌａｖｏｒｓ＆Ｆｒａｇｒａｎｃｅｓ、米国
５）  ３−（１，３−ベンゾジオキソール−５−イル）−２−メチルプロパナール、製造元：  Ｆｉｒｍｅｎｉｃｈ  ＳＡ、ジュネーブ、スイス
６）  １−（オクタヒドロ−２，３，８，８−テトラメチル−２−ナフタレニル）−１−エタノン、製造元：  Ｉｎｔｅｒｎａｔｉｏｎａｌ  Ｆｌａｖｏｒｓ＆Ｆｒａｇｒａｎｃｅｓ、米国
７）  Ｈｅｄｉｏｎｅ（登録商標）、製造元：  Ｆｉｒｍｅｎｉｃｈ  ＳＡ、ジュネーブ、スイス
８）  Ｈａｂａｎｏｌｉｄｅ（登録商標）、製造元：  Ｆｉｒｍｅｎｉｃｈ  ＳＡ、ジュネーブ、スイス。
【０１２３】
【表６】
2020504771.tif 000012
【０１２４】
１）  製造元：  Ｆｉｒｍｅｎｉｃｈ  ＳＡ、ジュネーブ、スイス
２）  ＲＯＭＡＮＤＯＬＩＤＥ（登録商標）、製造元：  Ｆｉｒｍｅｎｉｃｈ  ＳＡ、ジュネーブ、スイス。
【０１２５】
【表７】
2020504771.tif 000013
【０１２６】
１）  製造元：  Ｆｉｒｍｅｎｉｃｈ  ＳＡ、ジュネーブ、スイス
２）  製造元：  Ｆｉｒｍｅｎｉｃｈ  ＳＡ、ジュネーブ、スイス
３）  トランス−１−（２，２，６−トリメチル−１−シクロヘキシル）−３−ヘキサノール、製造元：  Ｆｉｒｍｅｎｉｃｈ  ＳＡ、ジュネーブ、スイス。
【０１２７】
【表８】
2020504771.tif 000014
【０１２８】
１）  Ｎｅｏｂｕｔｅｎｏｎｅ（登録商標）、製造元：  Ｆｉｒｍｅｎｉｃｈ  ＳＡ、ジュネーブ、スイス
２）  製造元：  Ｆｉｒｍｅｎｉｃｈ  ＳＡ、ジュネーブ、スイス
３）  ドデカヒドロ−３ａ，６，６，９ａ−テトラメチル−ナフト［２，１−ｂ］フラン、製造元：  Ｆｉｒｍｅｎｉｃｈ  ＳＡ、ジュネーブ、スイス
４）  （−）−（８Ｒ）−８，１２−エポキシ−１３，１４，１５，１６−テトラノルラブダン、製造元：  Ｆｉｒｍｅｎｉｃｈ  ＳＡ、ジュネーブ、スイス。
【０１２９】
【表９】
2020504771.tif 000015
【０１３０】
【表１０】
2020504771.tif 000016
【０１３１】
１）  製造元：  Ｆｉｒｍｅｎｉｃｈ  ＳＡ、ジュネーブ、スイス
２）  製造元：  Ｆｉｒｍｅｎｉｃｈ  ＳＡ、ジュネーブ、スイス
３）  （＋−）−４，６，６，７，８，８−ヘキサメチル−１，３，４，６，７，８−ヘキサヒドロシクロペンタ［Ｇ］イソクロメン、製造元：  Ｉｎｔｅｒｎａｔｉｏｎａｌ  Ｆｌａｖｏｒｓ＆Ｆｒａｇｒａｎｃｅｓ、米国
４）  Ｖｅｒｄｏｘ（商標）、製造元：Ｉｎｔｅｒｎａｔｉｏｎａｌ  Ｆｌａｖｏｒｓ＆Ｆｒａｇｒａｎｃｅｓ、米国。
【０１３２】
【表１１】
2020504771.tif 000017
【０１３３】
１）  １−（５，５−ジメチル−１−シクロヘキセン−１−イル）−４−ペンテン−１−オン、製造元：  Ｆｉｒｍｅｎｉｃｈ  ＳＡ、ジュネーブ、スイス
２）  （＋）−（１’Ｓ，２Ｓ，Ｅ）−３，３−ジメチル−５−（２’，２’，３’−トリメチル−３’−シクロペンテン−１’−イル）−４−ペンテン−２−オール、製造元：  Ｆｉｒｍｅｎｉｃｈ  ＳＡ、ジュネーブ、スイス
３）  （＋）−（１Ｓ，１’Ｒ）−２−［１−（３’，３’−ジメチル−１’−シクロヘキシル）エトキシ］−２−メチルプロピルプロパノエート、製造元：  Ｆｉｒｍｅｎｉｃｈ  ＳＡ、ジュネーブ、スイス。
【０１３４】
混濁度測定
試料中のＮＴＵ値での混濁度を、ポータブルマイクロプロセッサ混濁度計Ｈａｎｎａ  ＨＩ  ９３７０３において、必要な濃度のカプセルを含有する約１０ｍＬのベースの試料を使用することにより測定した。
【０１３５】
Ａの部：  等方性ベース中での例
例１
等方性液体洗剤（ｄ＝１．０２５ｇ／ｃｍ3）中での本発明によるマイクロカプセルの貯蔵安定性
プロトコル
本発明によるカプセルの安定性を液体洗剤中で調査した。使用されたモデルの液体洗剤ベースはＵｌｔｒａ  Ｐｕｒｅｘ  Ｆｒｅｅ＆Ｃｌｅａｒ（ｄ＝１．０２５ｇ／ｃｍ3）であり、且つ水、アルコールエトキシスルフェート、炭酸ナトリウム、直鎖のアルキルベンゼンスルホネート、塩化ナトリウム、アルコールエトキシレート、ポリアクリル酸ナトリウム、脂肪酸、二ナトリウムジアミノスチルベンジスルホン酸、四ナトリウムＥＤＴＡ、メチルイソチアゾリノンで構成されていた。
【０１３６】
前記液体洗剤ベース中でのカプセル化された香料スラリーの濃度は、０．１５％に等しかった。
【０１３７】
カプセルから漏出した香料の量を測定した。
【０１３８】
結果
結果を表３に要約する。
【０１３９】
【表１２】
2020504771.tif 000018
【０１４０】
結論
界面活性剤を多く含む洗剤中での貯蔵に際するカプセルからの香料の漏出は、４０℃での高負荷の貯蔵条件下であっても、非常に限定されていると結論付けることができる。
【０１４１】
例２
等方性液体洗剤（ｄ＝１．０２５ｇ／ｃｍ3）中での本発明によるマイクロカプセルの嗅覚的性能
組成
Ｕｌｔｒａ  Ｐｕｒｅｘ  Ｆｒｅｅ＆Ｃｌｅａｒ（ｄ＝１．０２５ｇ／ｃｍ3）は、水、アルコールエトキシスルフェート、炭酸ナトリウム、直鎖のアルキルベンゼンスルホネート、塩化ナトリウム、アルコールエトキシレート、ポリアクリル酸ナトリウム、脂肪酸、二ナトリウムジアミノスチルベンジスルホン酸、四ナトリウムＥＤＴＡ、メチルイソチアゾリノンで構成される。
【０１４２】
プロトコル
布（２．７ｋｇの綿パイル地タオル）を標準的なアメリカの縦軸機（ＭＡＹＴＡＧ  頼れるケア＋ヘビーデューティ、４つのスピード選択、超大容量）内で、「低〜中水量レベル、温、スピン  通常／速、普通のライトニットプログラム」を使用して洗濯した。新たに調製された液体洗剤４７ｇを、洗濯の開始時に、洗剤投入口を通じて投入した。洗濯後、布をタンブル乾燥（ＭＡＹＴＡＧ  頼れるケアの乾燥機内で５０分乾燥）または終夜吊り干しした後、綿タオルの臭いの強度を２０人の訓練されたパネリストのパネルによって評価した。パネリストらは、手で布を優しく擦った後のタオルの臭いの強度を、１〜７の尺度（１は無臭に対応し、７は非常に強い臭いに対応する）で格付けすることが求められた。
【０１４３】
結果
結果を下記の表４に示す。
【０１４４】
【表１３】
2020504771.tif 000019
【０１４５】
結論
吊り干し条件（最も強い影響）とタンブル乾燥（遙かに強い乾燥条件）との両方の乾燥後、本発明によるマイクロカプセルを含む液体洗剤は、非常に少ない供与量（０．０６％）であっても、カプセルを有さないか、または本発明の範囲外の比較用香料Ｆを有するカプセルを有する液体洗剤よりも著しく良好な嗅覚的性能を示す。
【０１４６】
影響力の大きい原料を高濃度で含むマイクロカプセルで最良の結果が得られることがわかる。
【０１４７】
さらには、該マイクロカプセルは等方性ベース中で、非常に少ない供与量の水準で使用され得るので、製品の透明性に著しく影響しない（０．０６％のカプセルスラリーの添加は、測定される混濁度を約４５ＮＴＵしか高めない）。
【０１４８】
例３
等方性液体洗剤（ｄ＝１．０５ｇ／ｃｍ3）中での本発明によるマイクロカプセルの嗅覚的性能
等方性液体洗剤ベースの組成
Ｐｅｒｓｉｌ  Ｕｎｉｖｅｒｓａｌ  Ｇｅｌ（ｄ＝１．０５）は、水；  アルコール、Ｃ12〜Ｃ14、エトキシル化、スルフェート、ナトリウム塩；  ベンゼンスルホン酸、Ｃ10〜Ｃ13  アルキル誘導体、ナトリウム塩；  アルコール、Ｃ12〜Ｃ18、エトキシル化；  メタホウ酸ナトリウム無水物；  酵素で構成される。
【０１４９】
プロトコル（洗濯条件）
布（２．０ｋｇの綿パイル地タオル）を４０℃で、標準的なヨーロッパの水平軸機（Ｍｉｅｌｅ  Ｎｏｖｏｔｒｏｎｉｃ  Ｗ  ９００−７９  ＣＨ）内で洗濯した。Ｐｅｒｓｉｌ  Ｕｎｉｖｅｒｓａｌ  Ｇｅｌ  （Ｈｅｎｋｅｌ、ドイツ）の等方性液体洗剤７５ｇを、洗濯の開始時に、洗剤投入口を通じて投入した。洗濯後、布を終夜吊り干しした後、綿タオルの臭いの強度を２０人の訓練されたパネリストのパネルによって評価した。パネリストらは、手で布を優しく擦った後のタオルの臭いの強度を、１〜７の尺度（１は無臭に対応し、７は非常に強い臭いに対応する）で格付けすることが求められた。結果を下記の表５に示す。
【０１５０】
【表１４】
2020504771.tif 000020
【０１５１】
結論
上記の結果は、カプセルを有さないリファレンスまたは本発明の範囲外の比較用香料Ｆを有するカプセルを有するリファレンスに対するカプセルの明らかな効果を強調する。
【０１５２】
擦る際の性能に関して最も満足な結果は、影響力の大きい材料を高濃度で有するマイクロカプセル（たとえそれらがベース中で非常に少ない供与量で使用されたとしても）を用いて得られる。
【０１５３】
さらには、該マイクロカプセルは等方性ベース中で、非常に少ない供与量で使用され得るので、製品の透明性に著しく影響しない（０．０５％のカプセルスラリーの添加は、測定される混濁度を約３５ＮＴＵしか高めない）。
【０１５４】
例４
等方性液体布用柔軟剤（ｄ＝１．００７ｇ／ｃｍ3）中での本発明によるマイクロカプセルの嗅覚的性能
（ＥＣ）  Ｎｏ  ６４８／２００４によるＶｅｒｎｅｌ  Ｓｏｆｔ＆Ｏｉｌｓ  Ｇｏｌｄの組成
水、プロピレングリコール、ポリエタンアミニウムエステルおよび酸メチル硫酸塩、ＰＥＧ４０  水素化ヒマシ油、香料、イソプロピルアルコール、カチオン性ポリアクリレート、ベンゾイソチアゾリノン、着色剤。
【０１５５】
成分は供与量の降順であり、且つ水を除き５％未満である。
【０１５６】
洗濯および濯ぎのプロトコル
綿パイル地タオル（２０枚、１８ｃｍ×１８ｃｍ、各々約３０ｇ）を、無着香の洗剤３０ｇを用いて、欧州の洗濯機（Ｍｉｅｌｅ  Ｎｏｖｏｔｒｏｎｉｃ  Ｗ３００−３３ＣＨ）内、４０℃でショートサイクルプログラムを使用して洗濯した。その洗濯後、９００ｒｐｍで、１２．７ｇのＶｅｒｎｅｌ  Ｓｏｆｔ＆Ｏｉｌｓ  Ｇｏｌｄ等方性布用柔軟剤（Ｈｅｎｋｅｌ、ドイツ）を用いて濯いだ。次いで、そのパイル地タオルを２４時間吊り干しした後、２０人の訓練されたパネリストのパネルが評価した。パネリストらは、手で布を優しく擦った後のタオルの臭いの強度を、１〜７の尺度（１は無臭に対応し、７は非常に強い臭いに対応する）で格付けすることが求められた。
【０１５７】
結果
結果を下記の表６および７に示す。
【０１５８】
【表１５】
2020504771.tif 000021
【０１５９】
結論
上記の結果は、カプセルのないリファレンスに対するカプセルの明らかな効果を示す。
【０１６０】
さらには、擦る際の性能に関する本発明によるカプセルについての結果は、本発明の範囲外のカプセルを含むベースに比してより良好である。
【０１６１】
擦る際の性能に関して最も満足な結果は、影響力の大きい材料を高濃度で有するマイクロカプセル（たとえそれらがベース中で非常に少ない供与量で使用されたとしても）を用いて得られる。
【０１６２】
さらには、該マイクロカプセルは等方性ベース中で、非常に少ない供与量の水準で使用され得るので、製品の透明性に著しく影響しない（０．０３％のカプセルスラリーの添加は、測定される混濁度を約２５ＮＴＵしか高めない）。
【０１６３】
【表１６】
2020504771.tif 000022
【０１６４】
結論
擦る際の性能に関する本発明によるカプセルについての結果は、本発明の範囲外のカプセルを含むベースに比してより良好である。
【０１６５】
さらには、マイクロカプセルを等方性ベース中で非常に少ない供与量の水準で使用できる。従って、それは製品の透明性に著しく影響しない（０．０３％のカプセルスラリーの添加は、測定される混濁度を約２５ＮＴＵしか高めない）。
【０１６６】
例５
等方性布用柔軟剤（ｄ＝１．０２ｇ／ｃｍ3）中での本発明によるマイクロカプセルの嗅覚的性能
Ｅｘｃｅｌｉａ等方性布用柔軟剤の組成（ＭＳＤＳに基づく）
水、１〜＜５％の非イオン性界面活性剤、１〜＜５％のジ四級化ポリジメチルシロキサン、０．１〜＜１％のヒドロキシプロピルメチルセルロース、香料、ベンゾイソチアゾリノン、メチルイソチアゾリノン。
【０１６７】
洗濯および濯ぎのプロトコル
綿パイル地タオル（２０枚、１８ｃｍ×１８ｃｍ、各々約３０ｇ）を、無着香の洗剤３０ｇを用いて、欧州の洗濯機（Ｍｉｅｌｅ  Ｎｏｖｏｔｒｏｎｉｃ  Ｗ３００−３３ＣＨ）内、４０℃でショートサイクルプログラムを使用して洗濯した。洗濯後、９００ｒｐｍで、１２．７ｇのＥｘｅｌｉａ等方性布用柔軟剤（Ｍｉｇｒｏｓ、スイス）を用いて濯いだ。次いで、そのパイル地タオルを２４時間吊り干しした後、２０人の訓練されたパネリストのパネルが評価した。パネリストらは、手で布を優しく擦った後のタオルの臭いの強度を、１〜７の尺度（１は無臭に対応し、７は非常に強い臭いに対応する）で格付けすることが求められた。
【０１６８】
結果
結果を下記の表８に示す。
【０１６９】
【表１７】
2020504771.tif 000023
【０１７０】
結論
洗濯され本発明によるマイクロカプセルで処理された布は、乾燥後、非常に少ない供与量（０．０５％）であっても、擦る際の非常に強い効果をもたらす。
【０１７１】
さらには、該マイクロカプセルは等方性ベース中で、非常に少ない供与量で使用され得るので、製品の透明性に著しく影響しない（０．０５％のカプセルスラリーの添加は、測定される混濁度を約４０ＮＴＵしか高めない）。
【０１７２】
例６
等方性液体シャンプー（ｄ＝１．０３ｇ／ｃｍ3）中での本発明によるマイクロカプセルの嗅覚的性能
組成
モデルの等方性シャンプーベース（表９参照）を調製し、髪の上のカプセルを試験した。
【０１７３】
【表１８】
2020504771.tif 000024
【０１７４】
シャンプーでの洗浄プロトコル
ａ）  カプセルを必要な供与量でシャンプーベースに混合する、
ｂ）  髪の見本を温水下で湿らせた後、髪の見本ごとにシャンプーを適用する（１ｇの髪に対して製品０．１ｇ）、
ｃ）  それらの髪の見本を温水中に３回浸けた後、流れる水道水の下で３０秒間、それらを濯ぐことによってしっかりと濯ぐ、
ｄ）  残った水を絞り落とした後、髪の見本を乾燥棚上で空気乾燥させる、
ｅ）  ２４時間後、髪が完全に乾いた際に評価する。
【０１７５】
髪の上での評価
髪を梳かす前に、髪の見本の香りの強度を以下の香りの強度の尺度に従って評価した：  １−感知できない、２−わずかに感知可能、３−弱い、４−中程度、５−持続する、６−強力、７−非常に強力。髪の見本を、櫛の薄い部分を用いて３回梳かした。髪を梳かした直後の香りの強度を、同じ尺度に従って評価した。髪の見本が触れられ、擦られるか、または梳かされると、「梳かす前」の段階について再度評価を行うことはできない。従って、少なくとも２つのセットの髪の見本を製造した。一方は決して梳かされず、「梳かす前」の段階のためにのみ使用された。他方のセットは「梳かした後」の段階のために、最大１０人のパネリストによって梳かされた。１０人より多いパネリストが必要とされた場合は、「梳かした後」の段階のために、髪の見本の他のセットが製造された。洗浄プロトコル全体にわたって、手を手袋で保護した。
【０１７６】
結果
結果を下記の表１０に示す。
【０１７７】
【表１９】
2020504771.tif 000025
【０１７８】
結論
本発明によるカプセルを用いて洗浄し且つ処理された全ての髪の見本は、非常に少ない供与量であっても芳香の増強をもたらす。
【０１７９】
これは、影響力の大きい香料Ｇが装填されたカプセルでは０．０２％だけで達成され得るが、本発明の範囲外の比較用香料Ｆを有するカプセルでは遙かに高い供与量である０．０７％が要される。
【０１８０】
例１１
等方性のユニットドース／ポッド（ｄ＝１．０５７９ｇ／ｃｍ3）中、０．１％で本発明による香料Ｄを含有するマイクロカプセルＡの嗅覚的性能
組成
ユニドースポッド用の水が少ない液体洗剤組成物は、Ｃ12〜Ｃ15  パレス７、水添ヤシ脂肪酸ＭＥＡ、ＭＥＡ−ドデシルベンゼンスルホネート、プロピレングリコール、グリセリン水、ポリビニルアルコール、ポリプロピレンテレフタレート  ポリオキソエチレンテレフタレート、ソルビトール、ジエチレントリアミンペンタメチレンホスホン酸ナトリウム、ＭＥＡ−スルフェート、亜硫酸カリウム、エチノールアミン、ペプチド塩、グリコール、サブチリシン、香料、ジスチリルビフェニル二スルホン酸二ナトリウム、タルク、アミラーゼ、塩化ナトリウム、デナトニウムベンゾエート、二置換アラニンアミド、染料、マンナナーゼで構成された。
【０１８１】
範囲内で、この組成物は５〜１５％のアニオン性界面活性剤、非イオン性界面活性剤、石鹸、および５％未満の酵素蛍光増白剤、香料、ホスホネートを含有する。
【０１８２】
プロトコル
布（２．０ｋｇの綿パイル地タオル）を４０℃で、標準的なヨーロッパの水平軸機（Ｍｉｅｌｅ  Ｎｏｖｏｔｒｏｎｉｃ  Ｗ  ９００−７９  ＣＨ）内で洗濯した。２５ｇの新たに調製された上記の液体洗剤組成物（０．１％のカプセルＡを有するかまたは有さない）をポリビニルアルコールパウチに添加することによってポッドを製造した。そのポッドを洗濯の開始時に洗濯機のドラム内に入れた。洗濯後、布を終夜吊り干しした後、綿タオルの臭いの強度を２０人の訓練されたパネリストのパネルによって評価した。パネリストらは、手で布を優しく擦った後のタオルの臭いの強度を、１〜７の尺度（１は無臭に対応し、７は非常に強い臭いに対応する）で格付けすることが求められた。
【０１８３】
結果
結果を下記の表１１に示す。
【０１８４】
【表２０】
2020504771.tif 000026
【０１８５】
結論
乾燥後、本発明による３８％の香料Ｄおよび６２％のシクロヘキシルサリチレートで構成されるコアオイルを有するマイクロカプセルＡの非常に少ない供与量（０．１％）を含むユニットドースの液体洗剤は、カプセルを有さないかまたは本発明の範囲外の香料Ｆを含有するカプセルＡを０．１％有する液体洗剤のユニットドースを凌いでいる。
【０１８６】
例１２
等方性液体洗剤中での本発明によるマイクロカプセルの懸濁
組成
ベースＡは、水、５〜１５％の非イオン性界面活性剤、アニオン性界面活性剤、５％未満の石鹸、ホスホネート、酵素、蛍光増白剤、香料で構成される。
【０１８７】
ベースＢは、水、５〜１５％のアニオン性界面活性剤、５％未満の非イオン性界面活性剤、カチオン性界面活性剤、石鹸、ホスホネート、ポリカルボキシレート、酵素、メチルイソチアゾリノン、香料で構成される２イン１型の液体洗剤である。
【０１８８】
ベースＣは、水、石鹸ベース（植物由来）、界面活性剤、キレート剤、補助洗剤、香料で構成される。
【０１８９】
ベースＤは、水、ドデシルベンゼンスルホン酸ナトリウム、ラウレス硫酸ナトリウム、Ｃ12〜Ｃ15  パレス−７、水添ヤシ脂肪酸ナトリウム、エトキシ化アジリジンホモポリマー、アクリレートコポリマー、香料、プロピレングリコール、ジエチレントリアミンペンタメチレンホスホン酸ナトリウム、水添ヤシ脂肪酸ＴＥＡ、ＴＥＡ、１，４−ベンゼンジカルボン酸、１，４−ジメチルエステル、ポリマー１、硫酸ナトリウム、グリセリン、ソルビトール、ベンゾイソチアゾリノン、たんぱく質分解酵素、水酸化ナトリウム、ペプチド、塩、発酵からの糖(sugar from fermentation)、ボロン酸、アミラーゼ、セルラーゼ、マンナナーゼ、染料で構成される。
【０１９０】
範囲内で、この組成物は５〜１５％のアニオン性界面活性剤および５％未満の非イオン性界面活性剤、蛍光増白剤、香料、ホスホネート、石鹸、ベンゾイソチアゾリノンを含有する。
【０１９１】
ベースＥは、水、５〜１０％のアルコール  Ｃ12〜Ｃ18  ７ＥＯ、１〜５％のベンゼンスルホン酸のナトリウム塩  Ｃ10〜Ｃ13  アルキル誘導体、１−５％の炭酸ナトリウム、１〜５％のアルコール  Ｃ12〜Ｃ18  ７ＥＯ、１〜５％の塩化ナトリウム、酵素、香料で構成される。
【０１９２】
【表２１】
2020504771.tif 000027
【０１９３】
プロトコル
３つの異なる粒径のバッチ（５、１０または２５μｍ）を有する本発明からのカプセル（３８％の香料Ｄおよび６２％のシクロヘキシルサリチレートで構成されるコアオイルを有する、ＳＧ＝１．０３４６）を、０．０５％で、様々な密度および粘度を有する上述の全てのベースに適用した。懸濁特性を、室温で２週間の間、視覚的に監視した。
【０１９４】
結果
様々な世界的な等方性液体洗剤中での本発明のマイクロカプセルの懸濁は、室温で２週間の貯蔵後に有望な結果を示している。予測されるとおり、本発明のカプセルのコアオイルの密度は１．０３４６で非常に高いので、より高い密度の等方性液体洗剤配合物（ＳＧ＝１．０３〜１．０７）、より具体的にはより高い密度のベース（ベースＥ  ＳＧ＝１．０６）中でも、わずかに低い密度（ベースＣ  ＳＧ＝１．０３７）であるがより高い粘度プロファイルを有するベース中でも、最良の結果が達成される。より低い密度および粘度の配合物であるベースＡ中でも、わずかな沈降しか検知されなかった。これに対し、香料Ｄのみを含有するカプセルは、それら全てのベース中で、より高い粘度のベース中であっても、数時間／数日程度で分離する。
【０１９５】
【表２２】
2020504771.tif 000028
【０１９６】
例１３
等方性液体洗剤（１．０３５１のＳＧ）中での本発明によるマイクロカプセルの懸濁
組成
ベースは、水、ドデシルベンゼンスルホン酸ナトリウム、ラウレス硫酸ナトリウム、Ｃ12〜Ｃ15  パレス−７、水添ヤシ脂肪酸ナトリウム、エトキシ化アジリジンホモポリマー、アクリレートコポリマー、香料、プロピレングリコール、ジエチレントリアミンペンタメチレンホスホン酸ナトリウム、水添ヤシ脂肪酸ＴＥＡ、ＴＥＡ、１，４−ベンゼンジカルボン酸、１，４−ジメチルエステル、ポリマー１、硫酸ナトリウム、グリセリン、ソルビトール、ベンゾイソチアゾリノン、たんぱく質分解酵素、水酸化ナトリウム、ペプチド、塩、発酵からの糖、ボロン酸、アミラーゼ、セルラーゼ、マンナナーゼ、染料で構成される。
【０１９７】
プロトコル
本発明からのカプセル(Encap)（３８％の香料Ｄおよび６２％シクロヘキシルサリチレートで構成されるコアオイルを有する、ＳＧ＝１．０３４６）を、ベース中に０．０５％で適用し、２リットルのパッケージで２ヶ月間、室温と３７℃との両方で貯蔵した。そのボトルを棚に置き、分析するまで触れないようにした。毎日、液体洗剤の一部（洗濯１回あたり７５ｇ）をボトルから注いで、これを２７日間、ボトルが空になるまで、消費者の自宅で起きることを模倣した。いくつかの部分を選択して分析し、クリーミングまたは沈降のいずれかの兆しを記載して、ボトル内で濃度勾配があるかどうか、または製品中に均質に分散したカプセルをまだ有するかどうかを測定した。
【０１９８】
カプセル化されたオイルの量を、各々の部分中で、溶媒抽出およびＧＳ／ＭＳ分析によって測定した。混濁度の測定も実施した。
【０１９９】
結果
本発明からのマイクロカプセル（３８％の香料Ｄおよび６２％のシクロヘキシルサリチレートで構成されるコアオイルを有する）は、この等方性液体洗剤（１．０３５１のＳＧ）中で、室温または３７℃で２ヶ月の貯蔵後であっても良好な懸濁特性を示した。分析された部分のいずれも、カプセル不含のものはなかった。室温で１ヶ月後、最後の１つを除く全ての部分は多かれ少なかれ、同量のマイクロカプセルを含有し、得られる供与量は目標の供与量に非常に近い。これは、この１ヶ月の貯蔵にわたって、分離が非常に限定的であったことを確認する。ＮＴＵ値は、分析の知見と非常に良好に相関する。
【０２００】
３７℃で２ヶ月の加速試験ですら、分析された各々の部分内にマイクロカプセルが検出されるが、室温で見られたよりも低い濃度であった。ここでもまた、カプセル濃度について様々な部分の間の違いは比較的限定的であり、且つ最後の部分だけはカプセルが明らかに濃縮されているように見えた。ＮＴＵ値も良好に揃っていた。
【０２０１】
【表２３】
2020504771.tif 000029
【０２０２】
Ｂの部：  構造化ベース中での例
例１４
濃縮された構造化液体柔軟剤中での本発明によるマイクロカプセルの嗅覚的性能
組成
無着香の濃縮布用柔軟剤ベースを、表１５に列記された成分を示された量で混合することによって調製した。パーセンテージは、無着香の布用柔軟剤ベースの総質量に対する質量によって定義されている。
【０２０３】
【表２４】
2020504771.tif 000030
【０２０４】
１）  製造元：  Ｓｔｅｐａｎ
２）  製造元：  Ａｖｅｃｉａ。
【０２０５】
柔軟剤の総質量に対して０．４５質量％のカプセルを、表１１の無着香の柔軟剤ベース中に穏やかに振盪しながら添加することにより、柔軟剤を調製した。
【０２０６】
洗濯および濯ぎのプロトコル
綿パイル地タオル（２０枚、１８ｃｍ×１８ｃｍ、各々約３０ｇ）を、無着香の洗剤３０ｇを用いて、欧州の洗濯機（Ｍｉｅｌｅ  Ｎｏｖｏｔｒｏｎｉｃ  Ｗ３００−３３ＣＨ）内、４０℃でショートサイクルプログラムを使用して洗濯した。洗濯後、９００ｒｐｍで、１２．７ｇの上記の濃縮布用柔軟剤を用いて濯いだ。次いで、そのパイル地タオルを２４時間吊り干しした後、２０人の訓練されたパネリストのパネルが評価した。パネリストらは、手で布を優しく擦った後のタオルの臭いの強度を、１〜１０の尺度（１は無臭に対応し、１０は非常に強い臭いに対応する）で格付けすることが求められた。
【０２０７】
結果
結果を下記の表１６に示す。
【０２０８】
【表２５】
2020504771.tif 000031
【０２０９】
結論
乾燥後、洗濯し且ついずれかのカプセルで処理された布は、乾燥布の強い香りの増強をもたらす。このことは、影響力の大きい香料ＣおよびＤが装填されたカプセルでは０．０８％だけで、または香料Ａのカプセルでは０．２５％で達成され得る。
【０２１０】
実施例１５
濃縮された構造化液体洗剤中での本発明によるマイクロカプセルの嗅覚的性能
【表２６】
2020504771.tif 000032
【０２１１】
洗濯条件
布（２．０ｋｇの綿パイル地タオル）を４０℃で、標準的なヨーロッパの水平軸機（Ｍｉｅｌｅ  Ｎｏｖｏｔｒｏｎｉｃ  Ｗ  ９００−７９  ＣＨ）内で洗濯した。新たに調製された液体洗剤７５ｇを、洗濯の開始時に、洗剤投入口を通じて投入した。洗濯後、布を終夜吊り干しした後、綿タオルの臭いの強度を２０人の訓練されたパネリストのパネルによって評価した。パネリストらは、手で布を優しく擦った後のタオルの臭いの強度を、１〜７の尺度（１は無臭に対応し、７は非常に強い臭いに対応する）で格付けすることが求められた。
【０２１２】
結果
結果を下記の表１７に示す：
【表２７】
2020504771.tif 000033
【０２１３】
結論
乾燥後、洗濯し且ついずれかのカプセルで処理された布は、乾燥布の強い香りの増強をもたらす。このことは、影響力の大きい香料ＣおよびＤが装填されたカプセルでは０．０７％だけで、または香料Ａのカプセルでは０．２０％で達成され得る。
【０２１４】
例１６
濃縮されたパールシャンプー（構造化されたベース）中での本発明によるマイクロカプセルの嗅覚的性能
【表２８】
2020504771.tif 000034
【０２１５】
最終的な粘度は２５％のＮａＣｌ溶液で調節する。
【０２１６】
粘度：  １５００〜２５００ｃＰｓ（ｓｐ５／５０ＲＰＭ）
０．７％の香料
ｐＨ：  ５．５〜６．０。
【０２１７】
シャンプーでの洗浄プロトコル
ａ）  カプセルを必要な供与量でシャンプーベースに混合する、
ｂ）  髪の見本を温水下で湿らせた後、髪の見本ごとにシャンプーを適用する（１ｇの髪に対して製品０．１ｇ）、
ｃ）  それらの髪の見本を温水中に３回浸けた後、流れる水道水の下で３０秒間、それらを濯ぐことによってしっかりと濯ぐ、
ｄ）  残った水を絞り落とした後、髪の見本を乾燥棚上で空気乾燥させる、
ｅ）  ２４時間後、髪が完全に乾いた際に評価する。
【０２１８】
２４時間乾燥した髪における嗅覚的性能
【表２９】
2020504771.tif 000035
【０２１９】
結論
本発明によるカプセルを用いて洗浄し且つ処理された全ての髪の見本は、非常に少ない供与量であっても芳香の増強をもたらす。さらに、これは、影響力の大きい香料Ｇが装填されたカプセルでは０．３％だけで達成され得るが、本発明の範囲外の比較用香料Ｆを有するカプセルでは遙かに高い供与量である０．８％が要される。
【０２２０】
例１７
濃縮された濯ぎ落とすタイプのヘアコンディショナー（構造化されたベース）中での本発明によるマイクロカプセルの嗅覚的性能
配合
【表３０】
2020504771.tif 000036
【０２２１】
手順
１／相Ａ、
２／相Ｂ：  相Ｂの全ての成分を合わせて７０〜７５℃で溶融する、
３／４０℃に冷却するまで混合を継続し、撹拌しながら相Ｃを添加する。
【０２２２】
洗い流すタイプのヘアコンディショナーの洗浄プロトコル
ａ）  カプセルを必要な供与量で洗い流すタイプのヘアコンディショナーに混合する、
ｂ）  髪の見本を温かい水道水で濯ぎ、余分な水を絞り落とす、
ｃ）  着香されていないシャンプーを適用し（１ｇの髪に対して０．１ｇ）、３０秒間洗浄する、
ｄ）  流れる温かい水道水で入念に濯ぎ、余分な水を絞り落とす、
ｅ）  洗い流すタイプのヘアコンディショナーを適用する（１ｇの髪に対して製品０．１ｇ）、
ｆ）  それらの髪の見本を温水中に３回浸けた後、流れる水道水の下で３０秒間、それらを濯ぐことによってしっかりと濯ぐ、
ｇ）  残った水を絞り落とした後、髪の見本を乾燥棚上で空気乾燥させる、
ｈ）  ２４時間後、髪が完全に乾いた際に評価する。
【０２２３】
結果
結果を下記の表２１に示す。
【０２２４】
【表３１】
2020504771.tif 000037
【０２２５】
結論
本発明によるカプセルを用いて洗浄し且つ処理された全ての髪の見本は、非常に少ない供与量であっても芳香の増強をもたらす。これは、影響力の大きい香料Ｇが装填されたカプセルでは０．３％だけで達成され得るが、本発明の範囲外の比較用香料Ｆを有するカプセルでは遙かに高い供与量である０．８％が要される。
【国際調査報告】
2020504771.tif 000038
2020504771.tif 000039